(57)【要約】      （修正有）【課題】簡易で安価に製造できる構成でありながらも、内容物を使い切れるポンプ付き容器を提供する。【解決手段】上部に開口部を有する略筒状の容器本体と、その開口部に着脱自在に設置され容器本体に充填された液体を供出可能なポンプとを備える。容器本体の内面の底部を、下方に向かって小径となるすり鉢状にすると共に、その底部の下端近傍に、ポンプの吸引チューブの下端が位置させ、容器本体の底部に、容器本体を起立可能に支持する足部を設け、その足部は、容器本体とは別体であり、接合されて容器本体と一体成形される構成にする。【選択図】図３
0003165163.tif 000002
【実用新案登録請求の範囲】
【請求項１】
上部に開口部を有する略筒状の容器本体と、その開口部に着脱自在に設置され容器本体に充填された液体を供出可能なポンプとを備えたポンプ付き容器において、
容器本体の内面の底部が、下方に向かって小径となるすり鉢状であると共に、その底部の下端近傍に、ポンプの吸引チューブの下端が位置し、
容器本体の底部が、容器本体を起立可能に支持する足部を有し、
その足部が、容器本体とは別体であり、接合されて容器本体と一体成形される
ことを特徴とするポンプ付き容器。
【請求項２】
足部が、
上部の開口した略筒状であり、容器本体の底部の側面と底面に接合して設けられる
請求項１に記載のポンプ付き容器。
【考案の詳細な説明】
【技術分野】
【０００１】
本考案は、シャンプーやトリートメント等の液体を収容し、ポンプの操作によって外部に供出するポンプ付き容器に関する。
【背景技術】
【０００２】
シャンプーやトリートメント等の液体を収容するポンプ付き容器は、既に市場に流通している。内容物を消費した際、容器は再利用し、内容物を補充する形態でも、多く使用されている。
その補充時、従来の容器では、内容物が使い切れずに残留していた。特に、トリートメントなど粘性の高い液体の場合は、容器の側面やポンプのチューブに付着したままになりやすく、残留する量が多かった。
【０００３】
残留物があると、詰め替え用品を全て充填できず、詰め替え用品もそのパッケージに残留してしまう。また、別の液体を充填して、容器を再利用することができなくなる。また、長期の残留物は、不衛生でもある。
【０００４】
ポンプ付き容器に関する従来技術には、特許文献１〜５などがあり、特許文献１には、容器の底部を反転させて成形し、底部に傾斜を設けることが開示されている。しかし、従来の製造装置を用いて簡易に製造でき、残留物を有効になくすものはなかった。
【先行技術文献】
【特許文献】
【０００５】
【特許文献１】特開２０１０−１４９８９５「ポンプ用の容器体」
【特許文献２】特開２０１０−６４１８「ポンプディスペンサー及び同ポンプディスペンサーを備えた容器」
【特許文献３】特開２００９−２６９６５１「ポンプ付き液体容器」
【特許文献４】特開２００９−２６９６３４「詰め替え補助具及びこれを装着した注出容器」
【特許文献５】特開２００９−２６２９６７「液状石鹸類の供給容器」
【考案の概要】
【考案が解決しようとする課題】
【０００６】
そこで、本考案は、簡易で安価に製造できる構成でありながらも、内容物を使い切れるポンプ付き容器を提供することを課題とする。
【課題を解決するための手段】
【０００７】
上記課題を達成するため、本考案のポンプ付き容器は、次の構成を備える。
すなわち、上部に開口部を有する略筒状の容器本体と、その開口部に着脱自在に設置され容器本体に充填された液体を供出可能なポンプとを備えたポンプ付き容器において、容器本体の内面の底部を、下方に向かって小径となるすり鉢状にすると共に、その底部の下端近傍に、ポンプの吸引チューブの下端が位置させ、容器本体の底部に、容器本体を起立可能に支持する足部を設け、その足部は、容器本体とは別体であり、接合されて容器本体と一体成形される構成にする。
【０００８】
ここで、足部を、上部の開口した略筒状とし、容器本体の底部の側面と底面に接合して設けてもよい。
【考案の効果】
【０００９】
本考案によると、容器本体の内面の底部がすり鉢状であると共に、その底部の下端近傍にポンプの吸引チューブが位置するので、残留物を極力減らせる。また、簡易な足部によって容器本体が起立するので、ポンプ操作を確実に行える。
【図面の簡単な説明】
【００１０】
【図１】容器本体の正面図
【図２】同、底面図
【図３】ポンプ付き容器の正面図
【図４】ポンプ付き容器の底部周辺を示す説明図
【考案を実施するための形態】
【００１１】
以下に、本考案の実施形態を図面に基づいて説明する。
ここでは、円筒状で上部がドーム状の容器を例示するが、本考案は、略筒状の容器一般に適用可能である。
また、底部の傾斜も、図示の角度のものに限らず、適宜設計変更可能である。
【００１２】
図１及び２は、容器本体の正面図及び底面図であり、図３は、ポンプ付き容器の正面図である。
容器本体（１０）は円筒状であり、その上部はドーム状であり開口部（１１）を有する。
開口部（１１）には、ポンプ（２０）が着脱自在に設置される。ポンプ（２０）は、操作手（２１）を上方から下方に押し下げる度に一定量を供出する形態の市販品など、従来公知のものが利用できる。図示の例では、開口部（１１）の周縁にネジ溝が設けられていて、それにポンプ（２０）が係合するが、ポンプ（２０）の着脱形態も任意である。ポンプ（２０）を取り外すことにより、開口部（１１）を介して、新たな内容物が充填される。
【００１３】
容器本体（１０）の底部（１２）は、下方に向かって小径となるすり鉢状である。この底部（１２）の傾斜は、３０°以上あることが好ましく、粘性の高い内容物を充填する場合ほど、高角度が好ましい。
【００１４】
容器本体（１０）の底部（１２）には、容器本体（１０）を起立可能に支持する足部（３０）を有する。
容器本体（１０）の底部（１２）がすり鉢状であるので、少なくなった内容物は、その下端に集まり、底部（１２）の下端近傍に位置するポンプ（２０）のチューブ（２２）によって吸引される。
【００１５】
図４は、ポンプ付き容器の底部周辺を示す説明図であり、足部を斜線の断面で表す。
図示の例の足部（３０）は、上部の開口した略筒状であり、容器本体（１０）の底部（１２）の側面（１３）と底面（１４）に接合して設けられる。足部（３０）の側部に備わる２組の突条（３１）（３１）が、容器本体底部（１２）の側面（１３）に備わる２組の突条（１５）（１５）と嵌合し、足部（３０）の底部に備わる円形の穴部（３２）が、容器本体底部（１２）の底面（１４）と嵌合している。なお、足部（３０）の穴部（３２）は塞がれていてもよく、ポンプ（２０）を着脱させる開口部（１１）と同様に、ネジ式による接合でもよい。
また、足部（３０）と容器本体（１０）との接合は、接着剤を用いたり、加熱による融着でもよく、予め一体成形されていてもよい。
【００１６】
足部（３０）は、容器本体（１０）を起立可能に支持する機能を備えればよいので、例えば、以下のような別実施例が可能である。
足部（３０）を中実に形成し、中空部分（３３）を無くしてもよい。
【００１７】
足部（３０）の底壁（３４）を無くし、側壁（３５）で起立させてもよい。
側壁（３５）は、全周にわたる筒状である必要はなく、不連続でもよい。更に、短い数本の足状にして、三脚や四脚や五脚状にしてもよい。
【００１８】
逆に、足部（３０）の側壁（３５）を無くし、底壁（３４）で起立させてもよい。
【産業上の利用可能性】
【００１９】
本考案によると、容器内の残留物を極力減らせるので、内容物の詰め替えが便利であり、容器の衛生的な再利用にも寄与するので、産業上利用価値が高い。
【符号の説明】
【００２０】
１０  容器本体
１１  開口部
１２  底部
１３  側面
１４  底面
１５  突条
２０  ポンプ
２１  操作手
２２  吸引チューブ
３０  足部
３１  突条
３２  穴部
３３  中空部分
３４  底壁
３５  側壁
【図１】
0003165163.tif 000003
【図２】
0003165163.tif 000004
【図３】
0003165163.tif 000005
【図４】
0003165163.tif 000006